(57)【要約】      （修正有）【課題】片手で透明フイルムを引き出せない、片手で透明フィルムを切れない、透明フィルムの切れが悪くて巻き付く、以上の問題点を解決するための考案。【解決手段】従来の食品梱包用透明フイルム入り紙箱を、ケース保持具の箱を押さえるクッション（スポンジ、バネを含む）にはめ込み、ケース保持具の背面と底面に設けた磁石を鉄板に接着固定させ、一方の手の役割とし、もう一方の手で透明フイルムを引き出し、正面上部左右にそって張ってあるニクロム線（山形鋸刃含む）で透明フイルムを切り、紙箱とニクロム線（山形鋸刃含む）の間隔を取ることにより巻き付き防止としたものである。【選択図】図１
0003117194.tif 000002
【実用新案登録請求の範囲】
【請求項１】
（イ）  金属やプラスチックの長方形板材の長手両側面を内側に曲げ、コの字を９０度右に回転させた形の断面を形成することを特徴とするケース保持具である。
（ロ）  前記ケース保持具は、一方側面の背面と底面に磁石を設け、鉄板に固定することを特徴とするケース保持具である。
（ハ）  前記ケース保持具は、一方側面の正面上部左右にそって、ニクロム線を張り（通電発熱線）乾電池を使用し透明フイルムを切り取ることを特徴とするケース保持具である。
（二）  前記ケース保持具は、ニクロム線の取り替えをする為のクリップを設けたことを特徴とするケース保持具である。
（ホ）  前記ケース保持具は、ニクロム線に透明フイルムの粘着を取るスライドを設けたことを特徴とするケース保持具である。
（ヘ）  前記ケース保持具は、ニクロム線での危害防止のため、サブスイッチを設けたことを特徴とするケース保持具である。
（ト）  前記ケース保持具は、一方側面の正面内側に、従来の食品包装用透明フイルム入り紙箱を押さえる、クッション（スポンジやバネを含む）を設け、固定することを特徴とする食品包装用透明フイルム入り紙箱用のケース保持具である。
（チ）  本考案は、以上の構成よりなるケース保持具である。
【請求項２】
（イ）  金属やプラスチックの長方形板材の長手両側面を内側に曲げ、コの字を９０度右に回転させた形の断面を形成することを特徴とするケース保持具である。
（ロ）  前記ケース保持具は、一方側面の背面と底面に磁石を設け、鉄板に固定することを特徴とするケース保持具である。
（ハ）  前記ケース保持具は、一方側面の正面上部左右にそって、上向きに山形鋸刃を持つ金属性の刃を、紙箱と山形鋸刃との間隔をとって設け、透明フイルムを切り取ることを特徴とするケース保持具である。
（ニ）  前記ケース保持具は、一方側面の正面内側に、従来の食品包装用透明フイルム入り紙箱を押さえる、クッション（スポンジやバネを含む）を設け、固定することを特徴とする食品包装用透明フイルム入り紙箱用のケース保持具である。
（ホ）  本考案は、以上の構成よりなるケース保持具である。
【考案の詳細な説明】
【技術分野】
【０００１】  本考案は、食品包装用透明フイルム入り紙箱用のケース保持具に関する。
【背景技術】
【０００２】  従来、市販されている食品包装用透明フイルム入り紙箱は、両手でフタを開き一方の手で箱を持ち、もう一方の手で透明フイルムを引き出し、フタを閉じ、箱に付いている山形鋸刃で透明フイルムを端から切りとるものである。
【特許文献１】
【非特許文献】
【考案の開示】
【考案が解決しようとする課題】
【０００３】  従来品が持っている問題点を紹介する。
片手で透明フイルムを引き出せない、片手で透明フイルムを切れない、透明フイルムの切れが悪くて巻き付く、以上の問題点を解決するため考案したものである。
【課題を解決するための手段】
【０００４】  従来の食品包装用透明フイルム入り紙箱を、ケース保持具の箱を押さえるクッション（スポンジ、バネを含む）にはめ込み、ケース保持具の背面と底面に設けた磁石を鉄板に接着固定させ、一方の手の役割とし、もう一方の手で透明フイルムを引き出し、正面上部左右にそって張ってあるニクロム線（山形鋸刃含む）で透明フイルムを切り、紙箱とニクロム線（山形鋸刃含む）の間隔を取ることにより巻き付き防止としたものである。
【考案の効果】
【０００５】  以上本考案の構造を設ける事により、透明フイルムを片手で引きだし、片手で切る事ができ、巻き付き防止になったものである。
【考案を実施するための最良の形態】
【０００６】  以下、本考案の形態を図面に基づき詳細に説明する。【０００７】  図１、図２に示すとおり、ケース保持具に食品包装用透明フイルム入り紙箱をはめ込み、透明フイルムを引き出している本考案の模式図である。【０００８】  図３は、ニクロム線の取り付けによる、外観を示した本考案の斜視図である。【０００９】  図４は、山形鋸刃の取り付けによる、外観を示した本考案の斜視図である。【００１０】  図５〜図１１はケース保持具、磁石、ニクロム線、山形鋸刃、電池、スイッチ、クッション（スポンジやバネを含む）、鉄板、クリップ、スライド、サブスイッチを示した、本考案の正面図、右側面図、平面図、底面図である。
【実施例】
【００１１】  図１、図３に示すとおり、食品包装用透明フイルム入り紙箱をケース保持具にはめ込み固定、紙箱から透明フイルムを片手で正面方向に引き出し、ケース保持具に設けたニクロム線によって透明フイルムを切っていくものである。【００１２】  図２、図４に示すとおり、食品包装用透明フイルム入り紙箱をケース保持具にはめ込み固定、紙箱から透明フイルムを片手で正面方向に引き出し、ケース保持具に設けた山形鋸刃によって透明フイルムを切っていくものである。
【産業上の利用可能性】
【００１３】  テーブルや冷蔵庫等鉄板に取り付けて、家庭や職場に利用できるものである。
【図面の簡単な説明】
【００１４】
【図１】本考案のニクロム線を取り付けたケース保持具の模式図である。
【図２】本考案の山形鋸刃を取り付けたケース保持具の模式図である。
【図３】本考案のニクロム線を取り付けたケース保持具の斜視図である。
【図４】本考案の山形鋸刃を取り付けたケース保持具の斜視図である。
【図５】本考案のニクロム線を取り付けたケース保持具の正面図である。
【図６】本考案の山形鋸刃を取り付けたケース保持具の正面図である。
【図７】本考案のニクロム線を取り付けたケース保持具の右側面図である。
【図８】本考案の山形鋸刃を取り付けたケース保持具の右則面図である。
【図９】本考案のニクロム線を取り付けたケース保持具の平面図である。
【図１０】本考案の山形鋸刃を取り付けたケース保持具の平面図である。
【図１１】本考案の低面図である。
【符号の説明】
【００１５】１    ケース保持具
２    磁石
３    ニクロム線
４    山形鋸刃
５    電池
６    スイッチ
７    クッション（スポンジやバネを含む）
８    食品包装用透明フイルム入り紙箱
９    透明フイルム
１０  鉄板
１１  クリップ
１２  スライド
１３  サブスイッチ
【図１】
0003117194.tif 000003
【図２】
0003117194.tif 000004
【図３】
0003117194.tif 000005
【図４】
0003117194.tif 000006
【図５】
0003117194.tif 000007
【図６】
0003117194.tif 000008
【図７】
0003117194.tif 000009
【図８】
0003117194.tif 000010
【図９】
0003117194.tif 000011
【図１０】
0003117194.tif 000012
【図１１】
0003117194.tif 000013
【手続補正書】
【提出日】平成17年9月12日(2005.9.12)
【手続補正１】
【補正対象書類名】実用新案登録請求の範囲
【補正対象項目名】全文
【補正方法】変更
【補正の内容】
【実用新案登録請求の範囲】
【請求項１】
（イ）  金属やプラスチックの長方形板材の長手両側面を内側に曲げ、コの字を９０度右に回転させた形の断面を形成することを特徴とするケース保持具である。
（ロ）  前記ケース保持具は、一方側面の背面と底面に磁石を設け、鉄板に固定することを特徴とするケース保持具である。
（ハ）  前記ケース保持具は、一方側面の正面上部左右にそって、ニクロム線を張り（通電発熱線）乾電池を使用し透明フイルムを切り取ることを特徴とするケース保持具である。
（ニ）  前記ケース保持具は、ニクロム線の取り替えをする為のクリップを設けたことを特徴とするケース保持具である。
（ホ）  前記ケース保持具は、ニクロム線に透明フイルムの粘着を取るスライドを設けたことを特徴とするケース保持具である。
（ヘ）  前記ケース保持具は、ニクロム線での危害防止のため、サブスイッチを設けたことを特徴とするケース保持具である。
（ト）  前記ケース保持具は、一方側面の正面内側に、食品包装用透明フイルム入り紙箱を押さえる、クッションを設け、固定することを特徴とする食品包装用透明フイルム入り紙箱用のケース保持具である。
本考案は、以上の構成（イ）〜（ト）よりなるケース保持具である。
【請求項２】
（イ）  金属やプラスチックの長方形板材の長手両側面を内側に曲げ、コの字を９０度右に回転させた形の断面を形成することを特徴とするケース保持具である。
（ロ）  前記ケース保持具は、一方側面の背面と底面に磁石を設け、鉄板に固定することを特徴とするケース保持具である。
（ハ）  前記ケース保持具は、一方側面の正面上部左右にそって、上向きに山形鋸刃を持つ金属性の刃を、紙箱と山形鋸刃との間隔をとって設け、透明フイルムを切り取ることを特徴とするケース保持具である。
（ニ）  前記ケース保持具は、一方側面の正面内側に、食品包装用透明フイルム入り紙箱を押さえる、クッションを設け、固定することを特徴とする食品包装用透明フイルム入り紙箱用のケース保持具である。
本考案は、以上の構成（イ）〜（ニ）よりなるケース保持具である。
【手続補正２】
【補正対象書類名】明細書
【補正対象項目名】０００４
【補正方法】変更
【補正の内容】
【０００４】  従来の食品包装用透明フイルム入り紙箱を、ケース保持具の箱を押さえるクッションにはめ込み、ケース保持具の背面と底面に設けた磁石を鉄板に接着固定させ、一方の手の役割とし、もう一方の手で透明フイルムを引き出し、正面上部左右にそって張ってあるニクロム線（山形鋸刃含む）で透明フイルムを切り、紙箱とニクロム線（山形鋸刃含む）の間隔を取ることにより巻き付き防止としたものである。
【手続補正３】
【補正対象書類名】明細書
【補正対象項目名】００１０
【補正方法】変更
【補正の内容】
【００１０】  図５〜図１１はケース保持具、磁石、ニクロム線、山形鋸刃、電池、スイッチ、クッション、鉄板、クリップ、スライド、サブスイッチを示した、本考案の正面図、右側面図、平面図、底面図である。
【手続補正４】
【補正対象書類名】明細書
【補正対象項目名】００１５
【補正方法】変更
【補正の内容】
【００１５】１    ケース保持具
２    磁石
３    ニクロム線
４    山形鋸刃
５    電池
６    スイッチ
７    クッション
８    食品包装用透明フイルム入り紙箱
９    透明フイルム
１０  鉄板
１１  リップ
１２  スライド
１３  サブスイッチ